(57)【要約】【課題】暖房便座装置において、加熱ヒータの消費電力を抑制して省エネ性を向上すること。【解決手段】暖房便座装置１の制御装置６０は、着座検出装置４０の出力が第一オン信号から第一オフ信号に切り替った場合または人体検出装置５０の出力が第二オン信号から第二オフ信号に切り替った場合、温度センサ２３の検出温度に基づいて、着座面Ｓのうち使用者が温冷感を最も感じる第一部位と少なくとも接触する第一領域Ｓａ１の温度を、使用者に快適感を与える快適温度Ｔｈｋより低い温度であって使用者に冷感を与えない第一温度Ｔｈ１に調節し、かつ、着座面Ｓのうち第一領域Ｓａ１以外の領域である第二領域Ｓａ２の温度を第一温度Ｔｈ１より低い第二温度Ｔｈ２に調節するように加熱ヒータ２２ｂを制御する温度制御部６１を備えている。【選択図】図２
2018000596.tif 000002
【特許請求の範囲】
【請求項１】
使用者が上方から着座する着座面を有する本体部と、
前記本体部における前記着座面の下方に設けられ、前記着座面を加熱する加熱ヒータと、
前記本体部に設けられ、前記着座面の温度を検出する温度センサと、
前記使用者が前記着座面に着座している場合に第一オン信号を出力し、前記使用者が前記着座面に着座していない場合に第一オフ信号を出力する着座検出装置、および前記使用者がトイレルームに入室している場合に第二オン信号を出力し、前記使用者が前記トイレルームに入室していない場合に第二オフ信号を出力する人体検出装置の少なくとも一方と、
前記加熱ヒータを制御する制御装置と、を備え、
前記着座面は、前記着座面に接触する前記使用者の人体の部位のうち、前記使用者が温冷感を最も感じる第一部位と少なくとも接触する第一領域と、前記第一領域以外の領域である第二領域と、を有し、
前記温度センサは、前記第一領域および前記第二領域の少なくとも前記第一領域の温度を検出し、
前記制御装置は、
前記着座検出装置の出力が前記第一オン信号である場合または前記人体検出装置の出力が前記第二オン信号である場合、前記温度センサの検出温度に基づいて、前記第一領域の温度および前記第二領域の温度を前記使用者に快適感を与える快適温度に調節するように前記加熱ヒータを制御し、
前記着座検出装置の出力が前記第一オン信号から前記第一オフ信号に切り替った場合または前記人体検出装置の出力が前記第二オン信号から前記第二オフ信号に切り替った場合、前記温度センサの検出温度に基づいて、前記第一領域の温度を前記快適温度より低い温度であって前記使用者に冷感を与えない第一温度に調節し、かつ、前記第二領域の温度を前記第一温度より低い第二温度に調節するように前記加熱ヒータを制御する温度制御部を備えている暖房便座装置。
【請求項２】
前記加熱ヒータは、前記第一領域を加熱する第一加熱ヒータおよび前記第二領域を加熱する第二加熱ヒータを備え、
前記温度センサは、前記第一領域の温度を検出する第一温度センサおよび前記第二領域の温度を検出する第二温度センサを備え、
前記温度制御部は、
前記着座検出装置の出力が前記第一オン信号である場合または前記人体検出装置の出力が前記第二オン信号である場合、前記第一温度センサの検出温度および前記第二温度センサの検出温度に基づいて、前記第一領域の温度および前記第二領域の温度を前記快適温度に調節するように前記第一加熱ヒータおよび前記第二加熱ヒータをそれぞれ制御し、
前記着座検出装置の出力が前記第一オン信号から前記第一オフ信号に切り替った場合または前記人体検出装置の出力が前記第二オン信号から前記第二オフ信号に切り替った場合、前記第一温度センサの検出温度に基づいて前記第一領域の温度を前記第一温度に調節するように前記第一加熱ヒータを制御し、かつ、前記第二温度センサの検出温度に基づいて前記第二領域の温度を前記第二温度に調節するように前記第二加熱ヒータを制御する請求項１に記載の暖房便座装置。
【請求項３】
前記第一加熱ヒータおよび前記第二加熱ヒータは、コード状の発熱体によって構成され、
前記第一領域の単位面積あたりの前記第一加熱ヒータの長さは、前記第二領域の単位面積あたりの前記第二加熱ヒータの長さより長くなるように設定されている請求項２に記載の暖房便座装置。
【請求項４】
前記本体部は、前記第一領域の単位面積あたりの熱容量を、前記第二領域の単位面積あたりの熱容量より小さくするように設けられている請求項１に記載の暖房便座装置。
【請求項５】
前記本体部は、熱可塑性樹脂材料製であるとともに、前記第一領域と前記加熱ヒータとの間の距離を、前記第二領域と前記加熱ヒータとの間の距離より短くなるように設けられている請求項４に記載の暖房便座装置。
【発明の詳細な説明】
【技術分野】
【０００１】
本発明は、暖房便座装置関する。
【背景技術】
【０００２】
暖房便座装置の一形式として、特許文献１に示されているものが知られている。暖房便座装置は、特許文献１の図１に示すように、便座２００、便座２００の着座面を加熱するヒータ２１０、便座２００の着座面の温度を検知する温度検知センサ２２０、便座２００に使用者が着座したことを検知する着座検知センサ４２０、使用者の人体を検知する人体検知センサ４３０およびヒータ２１０への通電量を制御する制御部４１０を備えている。着座面は、便座２００の外表面のうち、使用者が着座した場合に使用者の人体が接触する面である。
【０００３】
使用者が着座面に着座している場合、制御部４１０は、着座面の温度を設定温度とするようにヒータ２１０への通電量を制御する。また、使用者が着座面に着座していない場合、着座面の温度を設定温度より低い温度とするようにヒータ２１０への通電量を制御する。
【先行技術文献】
【特許文献】
【０００４】
【特許文献１】特許第５６９１９７４号公報
【発明の概要】
【発明が解決しようとする課題】
【０００５】
上述した特許文献１の暖房便座装置においては、ヒータ２１０（加熱ヒータ）は、使用者が着座しているか、着座していないかに関わらず、着座面の全体を加熱している。しかしながら、使用者が着座面に着座する場合に使用者と接触する着座面の領域は、着座面の一部の領域である。すなわち、加熱ヒータは、着座面における使用者が接触しない領域も加熱している。一方、暖房便座装置においては、省エネの観点から消費電力をさらに低減させたいとの要請がある。
本発明は、上述した問題を解消するためになされたもので、暖房便座装置において、加熱ヒータの消費電力を抑制して省エネ性を向上することを目的とする。
【課題を解決するための手段】
【０００６】
上記の課題を解決するため、請求項１に係る暖房便座装置は、使用者が上方から着座する着座面を有する本体部と、本体部における着座面の下方に設けられ、着座面を加熱する加熱ヒータと、本体部に設けられ、着座面の温度を検出する温度センサと、使用者が着座面に着座している場合に第一オン信号を出力し、使用者が着座面に着座していない場合に第一オフ信号を出力する着座検出装置、および使用者がトイレルームに入室している場合に第二オン信号を出力し、使用者がトイレルームに入室していない場合に第二オフ信号を出力する人体検出装置の少なくとも一方と、加熱ヒータを制御する制御装置と、を備え、着座面は、着座面に接触する使用者の人体の部位のうち、使用者が温冷感を最も感じる第一部位と少なくとも接触する第一領域と、第一領域以外の領域である第二領域と、を有し、温度センサは、第一領域および第二領域の少なくとも第一領域の温度を検出し、制御装置は、着座検出装置の出力が第一オン信号である場合または人体検出装置の出力が第二オン信号である場合、温度センサの検出温度に基づいて、第一領域の温度および第二領域の温度を使用者に快適感を与える快適温度に調節するように前記加熱ヒータを制御し、着座検出装置の出力が第一オン信号から第一オフ信号に切り替った場合または人体検出装置の出力が第二オン信号から第二オフ信号に切り替った場合、温度センサの検出温度に基づいて、第一領域の温度を快適温度より低い温度であって使用者に冷感を与えない第一温度に調節し、かつ、第二領域の温度を第一温度より低い第二温度に調節するように加熱ヒータを制御する温度制御部を備えている。
【発明の効果】
【０００７】
これによれば、使用者が着座面に着座している状態から使用者が着座面に着座していない状態になった場合、または使用者がトイレルーム内からトイレルーム外に移動した場合、制御装置の温度制御部は、温度センサの検出温度に基づいて、第一領域の温度を快適温度より低い温度であって使用者に冷感を与えない第一温度に調節し、かつ、第二領域の温度を第一温度より低い第二温度に調節するように加熱ヒータを制御する。よって、従来技術のように、使用者が着座面に着座しているか着座していないかに関わらず、着座面の全体を加熱している場合に比べて、加熱ヒータの消費電力を抑制することができる。したがって、暖房便座装置において、省エネ性を向上することができる。
【図面の簡単な説明】
【０００８】
【図１】本発明による第一実施形態に係る暖房便座装置を示す斜視図である。
【図２】図１に示す暖房便座装置の便座部の平面図である。
【図３】図２に示すIII−III線に沿った暖房便座装置の便座部の断面図である。
【図４】図１に示す暖房便座装置のブロック図である。
【図５】図２に示す暖房便座装置の着座面の温度変化を示す図である。
【図６】本発明による第一実施形態の第一変形例に係る暖房便座装置の便座部の平面図である。
【図７】本発明による第一実施形態の第二変形例に係る暖房便座装置の便座部の平面図である。
【図８】本発明による第二実施形態に係る暖房便座装置の便座部の平面図である。
【図９】図８に示すIX−IX線に沿った本体部の断面図である。
【図１０】本発明による第二実施形態の第一変形例に係る暖房便座装置における便座部の本体部の断面図である。
【図１１】本発明による第二実施形態の第二変形例に係る暖房便座装置の平面図である。
【図１２】本発明による各実施形態の他の変形例に係る暖房便座装置の着座面の温度変化を示す図である。
【発明を実施するための形態】
【０００９】
＜第一実施形態＞
以下、本発明による暖房便座装置の第一実施形態について説明する。なお、本明細書においては説明の便宜上、図１における上側および下側をそれぞれ暖房便座装置１の上方および下方とし、同じく右下側および左上側をそれぞれ暖房便座装置１の前方および後方とし、同じく左下側および右上側を、それぞれ暖房便座装置１の左方および右方として説明する。
【００１０】
暖房便座装置１は、使用者が着座する着座面を、電熱によって暖房をすることができる便座である。暖房便座装置１は、図１に示すように、トイレルーム２に設置された腰掛式便器３に取り付けられている。暖房便座装置１は、取付部１０、便座部２０、便座部２０を覆う便蓋部３０、着座検出装置４０、人体検出装置５０、および、制御装置６０を備えている。
【００１１】
取付部１０は、中空の箱状に形成されている。取付部１０は、腰掛式便器３に取り付けられている。取付部１０は、便座部２０および便蓋部３０を回動可能に保持する。取付部１０には着座検出装置４０、人体検出装置５０および制御装置６０が収容されている。
【００１２】
便座部２０は、使用者が着座するものである。便座部２０は、図２および図３に示すように、本体部２１、ヒータ部２２、温度センサ２３を備えている。
【００１３】
本体部２１は、便座部２０の平面視において環状に形成されている（図２参照）。本体部２１は、肉厚をおよそ一定とする中空状に形成されている（図３参照）。肉厚は、本体部２１を形成する側壁の厚みである。本体部２１は、熱可塑性樹脂によって形成されている。
【００１４】
また、本体部２１は、着座面Ｓを有している。着座面Ｓは、本体部２１の外表面のうち、使用者が上方から着座する部位である。着座面Ｓは、本体部２１の外表面における上側の部位である。着座面Ｓは、使用者が上方から着座した場合に使用者の人体が接触可能な範囲に設定されている。着座面Ｓは、第一領域Ｓａ１および第二領域Ｓａ２を有している。
【００１５】
第一領域Ｓａ１は、着座面Ｓに接触する使用者の人体の部位のうち、使用者が温冷感を最も感じる第一部位と少なくとも接触する着座面Ｓの領域である。第一部位は、使用者の大腿部である。第一領域Ｓａ１は、前第一領域Ｓａ１ａおよび後第一領域Ｓａ１ｂを有している。
【００１６】
前第一領域Ｓａ１ａは、着座面Ｓの前側かつ左右方向両側にそれぞれ設けられている。前第一領域Ｓａ１ａは、使用者が両足を閉じた状態で着座面Ｓに着座する場合において、第一部位が接触する領域である。また、使用者が両足を閉じた状態で着座する場合において、使用者の人体のうち第一部位が、着座面Ｓのうち前第一領域Ｓａ１ａに、最初に接触する。
【００１７】
後第一領域Ｓａ１ｂは、着座面Ｓにおける前後方向中央部かつ左右方向両側にそれぞれ設けられている。後第一領域Ｓａ１ｂは、使用者が両足を開いた状態であるか両足を閉じた状態であるかに関わらず、着座面Ｓに着座する場合において、少なくとも第一部位が接触する領域である。また、使用者が足を開いた状態で着座する場合において、使用者の人体のうち第一部位が、着座面Ｓのうち後第一領域Ｓａ１ｂに、最初に接触する。
【００１８】
なお、使用者が両足を閉じた状態において、使用者の着座位置が着座面Ｓに対して前側寄りである（浅い）場合、着座面Ｓに対して後側寄りである（深い）場合に比べて、後第一領域Ｓａ１ｂにおいては、使用者の第一部位の接触範囲が少なくなり、かつ、使用者の臀部の接触範囲が多くなる。一方、使用者が両足を開いた状態においては、使用者の着座位置が着座面Ｓの前寄りである場合か着座面Ｓの後寄りである場合かに関わらず、使用者の第一部位が後第一領域Ｓａ１ｂに接触し、かつ、使用者の第一部位が前第一領域Ｓａ１ａに接触しない。
【００１９】
第二領域Ｓａ２は、着座面Ｓのうち第一領域Ｓａ１以外の領域である。第二領域Ｓａ２の後側は、主として使用者の臀部が接触する。着座面Ｓ、第一領域Ｓａ１（前第一領域Ｓａ１ａ，後第一領域Ｓａ１ｂ）、および、第二領域Ｓａ２は、実験等によって実測されて設定されている。
【００２０】
ヒータ部２２は、着座面Ｓを加熱するものである。ヒータ部２２は、図３に示すように、本体部２１の上側壁２１ａの内面に配置されている。ヒータ部２２は、本体部２１の上側壁２１ａを加熱することにより、着座面Ｓを加熱する。ヒータ部２２は、熱拡散部２２ａおよび加熱ヒータ２２ｂを備えている。
【００２１】
熱拡散部２２ａは、加熱ヒータ２２ｂからの熱を上側壁２１ａの内面に拡散させて、上側壁２１ａを介して着座面Ｓに伝熱させるものである。熱拡散部２２ａは、例えばアルミ箔である。熱拡散部２２ａは、上側壁２１ａの内面における上側壁２１ａを挟んで着座面Ｓと対向する部位に、一方面（上面）を接触するように配置されている。熱拡散部２２ａの一方面と上側壁２１ａの内面とが、例えば接着剤によって固定されている。
【００２２】
加熱ヒータ２２ｂは、本体部２１における着座面Ｓの下方に設けられ、着座面Ｓを加熱するものである。加熱ヒータ２２ｂは、コード状の発熱体によって構成されたコードヒータである。加熱ヒータ２２ｂは、通電されることにより発熱する。
【００２３】
加熱ヒータ２２ｂは、具体的には、発熱部２２ｂ１および絶縁被覆２２ｂ２を備えている。発熱部２２ｂ１は、例えばガラス繊維からなる線芯（図示なし）に電熱用合金線（図示なし）が螺旋状に巻付けられたものである。ポリ塩化ビニル樹脂等の絶縁被覆２２ｂ２は、絶縁性を有し、発熱体の外周を覆うものである。
【００２４】
加熱ヒータ２２ｂは、熱拡散部２２ａの他方面（下面）に配置されている。加熱ヒータ２２ｂは、着座面Ｓから下方に、およそ上側壁２１ａの肉厚だけ離れて配置されている。加熱ヒータ２２ｂは、絶縁被覆２２ｂ２が熱拡散部２２ａに溶着されて固定される。熱拡散部２２ａおよび加熱ヒータ２２ｂによって構成されるヒータ部２２は、面状発熱体である。
【００２５】
加熱ヒータ２２ｂは、第一加熱ヒータ２２ｃおよび第二加熱ヒータ２２ｄを備えている。各加熱ヒータ２２ｃ，２２ｄは、長さのみが互いに異なるように設定されている。すなわち、各加熱ヒータ２２ｃ，２２ｄの単位長さあたりの消費電力は同じである。各加熱ヒータ２２ｃ，２２ｄの消費電力は、比較的低い消費電力に設定されている。各加熱ヒータ２２ｃ，２２ｄの消費電力の合計は、例えば、３０〜１００ワットである。各加熱ヒータ２２ｃ，２２ｄの各々の両端には、電力が供給される電線（図示なし）がそれぞれ接続される接続部２２ｃ１，２２ｄ１がそれぞれ設けられている（図２参照）。
【００２６】
第一加熱ヒータ２２ｃは、第一領域Ｓａ１を加熱するものである。第一加熱ヒータ２２ｃは、本第一実施形態において、第二領域Ｓａ２と比較して、第一領域Ｓａ１を主に加熱する。第一加熱ヒータ２２ｃは、図２の長破線にて示すように配置されている。第一加熱ヒータ２２ｃは、具体的には、図２の着座面Ｓの平面視において、着座面Ｓの右上側の位置から時計回りに着座面Ｓを一周するように配置されている。
【００２７】
また、第一加熱ヒータ２２ｃは、第一領域Ｓａ１にて、蛇行するように配置されている。すなわち、第一加熱ヒータ２２ｃは、第二領域Ｓａ２の単位面積あたりの長さより、第一領域Ｓａ１の単位面積あたりの長さの方が長い。これにより、第一加熱ヒータ２２ｃによって、第一領域Ｓａ１の単位面積あたりに与えられる熱量（単位時間あたりの熱量）の方が、第二領域Ｓａ２の単位面積あたりに与えられる熱量より多くなる。
【００２８】
第二加熱ヒータ２２ｄは、第二領域Ｓａ２を加熱するものである。第二加熱ヒータ２２ｄは、本第一実施形態において、第一領域Ｓａ１と比較して、第二領域Ｓａ２を主に加熱する。第二加熱ヒータ２２ｄは、図２の短破線にて示すように配置されている。第二加熱ヒータ２２ｄは、図２の着座面Ｓの平面視において、着座面Ｓの右上側の位置から時計回りに着座面Ｓを一周するように配置されている。
【００２９】
また、第二加熱ヒータ２２ｄは、第二領域Ｓａ２にて蛇行するように配置されている。すなわち、第二加熱ヒータ２２ｄは、第一領域Ｓａ１の単位面積あたりの長さより、第二領域Ｓａ２の単位面積あたりの長さの方が長い。これにより、第二加熱ヒータ２２ｄによって、第二領域Ｓａ２の単位面積あたりに与えられる熱量の方が、第一領域Ｓａ１の単位面積あたりに与えられる熱量より多くなる。
【００３０】
さらに、第二加熱ヒータ２２ｄは、第二領域Ｓａ２にて、第一加熱ヒータ２２ｃより小さい曲率にて蛇行するように配置されている。すなわち、第一領域Ｓａ１の単位面積あたりの第一加熱ヒータ２２ｃの長さが、第二領域Ｓａ２の単位面積あたりの第二加熱ヒータ２２ｄの長さより長くなるように設定されている。これにより、第一加熱ヒータ２２ｃによって第一領域Ｓａ１の単位面積あたりに与えられる熱量の方が、第二加熱ヒータ２２ｄによって第二領域Ｓａ２の単位面積あたりに与えられる熱量より多くなる。
【００３１】
温度センサ２３は、本体部２１に設けられ、着座面Ｓの温度を検出するものである。温度センサ２３は、熱拡散部２２ａの他方面に配置されている。温度センサ２３は、上側壁２１ａの内面の温度を検出することにより、着座面Ｓの温度を間接的に検出する。温度センサ２３は、第一温度センサ２３ａおよび第二温度センサ２３ｂを備えている。
【００３２】
第一温度センサ２３ａは、第一領域Ｓａ１の温度を検出する。第一温度センサ２３ａは、具体的には、右方の後第一領域Ｓａ１ｂのおよそ中央部の温度を検出する。第二温度センサ２３ｂは、具体的には、第二領域Ｓａ２の温度を検出する。第二温度センサ２３ｂは、具体的には、第二領域Ｓａ２の左後端部の温度を検出する。各温度センサ２３ａ，２３ｂによって検出された温度は、制御装置６０に送信される。
【００３３】
着座検出装置４０は、使用者が着座面Ｓに着座しているか否かを検出するものである。着座検出装置４０は、使用者が着座面Ｓに着座している場合に第一オン信号を出力し、使用者が着座面Ｓに着座していない場合に第一オフ信号を出力する。着座検出装置４０は、対象物との距離を検出する赤外線方式の距離センサである。着座検出装置４０は、取付部１０の内側の上部に配置されている（図１参照）。
【００３４】
使用者が着座面Ｓに着座した場合、使用者と着座検出装置４０との距離が比較的短くなる。これにより、着座検出装置４０の検出結果が第一所定距離以下であるとき、着座検出装置４０は、第一オン信号を制御装置６０に出力する。一方、使用者が便座部２０に着座していないことにより、着座検出装置４０の検出結果が第一所定距離より長いとき、着座検出装置４０は、第一オフ信号を制御装置６０に出力する。第一所定距離は、実験等により実測されて予め導出されている。
【００３５】
人体検出装置５０は、使用者がトイレルーム２に入室しているか否かを検出するものである。人体検出装置５０は、使用者が暖房便座装置１の周囲に位置しているか否かを検出する。人体検出装置５０は、対象物との距離を検出する赤外線方式の距離センサである。人体検出装置５０は、取付部１０の内側における上端部の左側部に配置されている（図１参照）。
【００３６】
使用者がトイレルーム２に入室した場合、使用者と人体検出装置５０との距離が比較的短くなる。これにより、人体検出装置５０の検出結果が第二所定距離以下であるとき、人体検出装置５０は、第二オン信号を制御装置６０に出力する。一方、使用者がトイレルーム２に入室していないことにより、人体検出装置５０の検出結果が第二所定距離より長いとき、人体検出装置５０は、第二オフ信号を制御装置６０に出力する。第二所定距離は、第一所定距離より長い距離に設定されている。第二所定距離は、実験等により実測されて予め導出されている。
【００３７】
制御装置６０は、暖房便座装置１を統括制御するものである。制御装置６０は、各加熱ヒータ２２ｃ，２２ｄを制御する。制御装置６０は、図４に示すように、温度制御部６１を備えている。温度制御部６１は、具体的には、各温度センサ２３ａ，２３ｂの検出温度に基づいて、各領域Ｓａ１，Ｓａ２の温度を目標温度に調節するように各加熱ヒータ２２ｃ，２２ｄをオンオフ制御するものである。
【００３８】
温度制御部６１は、具体的には、着座検出装置４０の出力が第一オン信号である場合、各領域Ｓａ１，Ｓａ２の目標温度を快適温度Ｔｈｋに設定する。快適温度Ｔｈｋは、着座面Ｓに着座した使用者が快適に感じる温度である。快適温度Ｔｈｋは、およそ３７〜４２℃である。よって、この場合、温度制御部６１は、第一温度センサ２３ａの検出温度および第二温度センサ２３ｂの検出温度に基づいて、第一領域Ｓａ１の温度および第二領域Ｓａ２の温度を快適温度Ｔｈｋに調節するように第一加熱ヒータ２２ｃおよび第二加熱ヒータ２２ｄをそれぞれオンオフ制御する。
【００３９】
換言すれば、温度制御部６１は、着座検出装置４０の出力が第一オン信号である場合、第一温度センサ２３ａの検出温度および第二温度センサ２３ｂの検出温度を相当快適温度とするように、第一加熱ヒータ２２ｃおよび第二加熱ヒータ２２ｄをそれぞれオンオフ制御する。相当快適温度は、各領域Ｓａ１，Ｓａ２の温度が快適温度Ｔｈｋである場合における各温度センサ２３ａ，２３ｂが設置された部位の温度である。
【００４０】
また、温度制御部６１は、着座検出装置４０の出力が第一オン信号から第一オフ信号に切り替った場合、第一領域Ｓａ１の目標温度を第一温度Ｔｈ１に、かつ、第二領域Ｓａ２の目標温度を第二温度Ｔｈ２に設定する。第一温度Ｔｈ１は、快適温度Ｔｈｋより低い温度であって、使用者に冷感を与えない温度である。第一温度Ｔｈ１は、具体的には、およそ２６〜３０℃である。第二温度Ｔｈ２は、第一温度Ｔｈ１より低い温度である。第二温度Ｔｈ２は、およそ１５〜２２℃に設定されている。よって、この場合、第一温度センサ２３ａの検出温度に基づいて第一領域Ｓａ１の温度を第一温度Ｔｈ１に調節するように第一加熱ヒータ２２ｃをオンオフ制御し、かつ、第二温度センサ２３ｂの検出温度に基づいて第二領域Ｓａ２の温度を第二温度Ｔｈ２に調節するように第二加熱ヒータ２２ｄをオンオフ制御する。
【００４１】
換言すれば、温度制御部６１は、着座検出装置４０の出力が第一オン信号から第一オフ信号に切り替った場合、第一温度センサ２３ａの検出温度を相当第一温度とするように、第一加熱ヒータ２２ｃをオンオフ制御し、かつ、第二温度センサ２３ｂの検出温度を相当第二温度とするように、第二加熱ヒータ２２ｄをオンオフ制御する。相当第一温度は、第一領域Ｓａ１の温度が第一温度Ｔｈ１である場合における第一温度センサ２３ａが設置された部位の温度である。相当第二温度は、第二領域Ｓａ２の温度が第二温度Ｔｈ２である場合における第二温度センサ２３ｂが設置された部位の温度である。
【００４２】
なお、各加熱ヒータ２２ｃ，２２ｄは、上述したように、比較的低い消費電力に設定されているため、各加熱ヒータ２２ｃ，２２ｄがオフ（非通電状態）からオン（通電状態）に切り替った時における着座面Ｓの単位時間あたりの温度上昇が比較的小さい。よって、例えば、着座面Ｓの温度が第一温度Ｔｈ１以下である場合において、使用者がトイレルーム２に入室した時に各加熱ヒータ２２ｃ，２２ｄが連続してオンした場合においても、使用者が着座面Ｓに着座する時までに着座面Ｓの温度を快適温度Ｔｈｋにすることができない。
【００４３】
これに対して、本第一実施形態においては、人体検出装置５０の出力に関わらず、着座検出装置４０の出力が第一オフ信号である場合、使用者が着座面Ｓに着座した場合に第一部位が接触する第一領域Ｓａ１の温度を第一温度Ｔｈ１にて、かつ第二領域Ｓａ２の温度を第二温度Ｔｈ２にて推移させる。これにより、使用者が着座していない場合における着座面Ｓ（主として第二領域Ｓａ２）の温度を抑制し、かつ、使用者が着座面Ｓに着座した場合に冷感を感じさせないように、各領域Ｓａ１，Ｓａ２の目標温度および各領域Ｓａ１，Ｓａ２の範囲が上述したように設定されている。
【００４４】
次に、上述した温度制御部６１によるオンオフ制御が実行された場合における暖房便座装置１の動作について、図５を用いて説明する。なお、使用者がトイレルーム２外に位置し、かつ、トイレルーム２内の温度が第二温度Ｔｈ２より低い状態にて説明する。
【００４５】
使用者がトイレルーム２外に位置する場合、着座検出装置４０の出力が第一オフ信号および人体検出装置５０の出力が第二オフ信号であるため、第一領域Ｓａ１の目標温度が第一温度Ｔｈ１に、かつ、第二領域Ｓａ２の目標温度が第二温度Ｔｈ２に設定されている。よって、温度制御部６１のオンオフ制御によって、第一領域Ｓａ１の温度が第一温度Ｔｈ１にて、かつ、第二領域Ｓａ２の温度が第二温度Ｔｈ２にて推移する。
【００４６】
そして、使用者がトイレルーム２に入室した時（時刻ｔ１）、人体検出装置５０の出力が第二オフ信号から第二オン信号に切り替る。続けて、使用者が着座面Ｓに着座した時（時刻ｔ２）、着座検出装置４０の出力が第一オフ信号から第一オン信号に切り替るため、温度制御部６１によって、第一領域Ｓａ１の目標温度および第二領域Ｓａ２の目標温度がそれぞれ快適温度Ｔｈｋとなる。
【００４７】
使用者が着座面Ｓに着座したこの時、温冷感を最も感じる部位である第一部位が第一領域Ｓａ１に最初に接触する。この時、第一領域Ｓａ１が第一温度Ｔｈ１にて推移しているため、第一領域Ｓａ１において、使用者に冷感が生じない。続けて、使用者の人体が第二領域Ｓａ２に接触する。このとき、第二領域Ｓａ２の温度が第一温度Ｔｈ１より低い第二温度Ｔｈ２であるが、使用者が最初に着座面Ｓに接触した第一部位に冷感が生じなかったため、使用者に不快感が生じない。
【００４８】
そして、使用者が着座面Ｓに着座したこの時（時刻ｔ２）から、各領域Ｓａ１，Ｓａ２の目標温度が変更されたため、温度制御部６１のオンオフ制御によって、各加熱ヒータ２２ｃ，２２ｄが連続してオンする。これにより、第一領域Ｓａ１の温度が第一温度Ｔｈ１から快適温度Ｔｈｋに向かって上昇するとともに、第二領域Ｓａ２の温度が第二温度Ｔｈ２から快適温度Ｔｈｋに向かって上昇する。この時、上述したように、第一加熱ヒータ２２ｃによって第一領域Ｓａ１の単位面積あたりに与えられる熱量の方が第二加熱ヒータ２２ｄによって第二領域Ｓａ２の単位面積あたりに与えられる熱量より多いため、第一領域Ｓａ１の温度の上昇速度が第二領域Ｓａ２の温度の上昇速度より大きい。
【００４９】
使用者が着座面Ｓに継続して着座し続けることにより、第一領域Ｓａ１の温度が快適温度Ｔｈｋに到達し（時刻ｔ３）、第二領域Ｓａ２の温度が快適温度Ｔｈｋに到達する（時刻ｔ４）。その後、使用者が着座面Ｓから立ち上がった時（時刻ｔ５）、着座検出装置４０の出力が第一オン信号から第一オフ信号に切り替る。これにより、温度制御部６１によって、第一領域Ｓａ１の目標温度が第一温度Ｔｈ１に、かつ、第二領域Ｓａ２の目標温度が第二温度Ｔｈ２に変更される。
【００５０】
そして、この使用者が着座面Ｓから立ち上がったこの時から、各領域Ｓａ１，Ｓａ２の目標温度が変更されたため、温度制御部６１のオンオフ制御によって各加熱ヒータ２２ｃ，２２ｄが連続してオフとなる。これにより、第一領域Ｓａ１の温度が快適温度Ｔｈｋから第一温度Ｔｈ１に向かって下降するとともに、第二領域Ｓａ２の温度が快適温度Ｔｈｋから第二温度Ｔｈ２に向かって降下する。この時、着座面Ｓの放熱量が一様であるため、各領域Ｓａ１，Ｓａ２の温度が下降する速度はおよそ同じである。
【００５１】
また、温度制御部６１のオンオフ制御によって、第一領域Ｓａ１の温度が第一温度Ｔｈ１となった時（時刻ｔ６）から、第一領域Ｓａ１の温度が第一温度Ｔｈ１にて推移し、かつ、第二領域Ｓａ２の温度が第二温度Ｔｈ２となった時（時刻ｔ７）から、第二領域Ｓａ２の温度が第二温度Ｔｈ２にて推移する。
【００５２】
なお、トイレルーム２内の温度（以下、室内温度とする。）が第二温度Ｔｈ２より高く、かつ、第一温度Ｔｈ１より低い場合において着座検出装置４０の出力が第一オフ信号であるとき、温度制御部６１のオンオフ制御によって、第二加熱ヒータ２２ｄが継続してオフ状態となる。よって、このとき、第二領域Ｓａ２の温度は、およそ室内温度にて推移する。
【００５３】
本第一実施形態によれば、暖房便座装置１は、使用者が上方から着座する着座面Ｓを有する本体部２１と、本体部２１における着座面Ｓの下方に設けられ、着座面Ｓを加熱する加熱ヒータ２２ｂと、本体部２１に設けられ、着座面Ｓの温度を検出する温度センサ２３と、使用者が着座面Ｓに着座している場合に第一オン信号を出力し、使用者が着座面Ｓに着座していない場合に第一オフ信号を出力する着座検出装置４０および使用者がトイレルーム２に入室している場合に第二オン信号を出力し、使用者がトイレルーム２に入室していない場合に第二オフ信号を出力する人体検出装置５０の両方と、加熱ヒータ２２ｂを制御する制御装置６０と、を備えている。着座面Ｓは、着座面Ｓに接触する使用者の人体の部位のうち、使用者が温冷感を最も感じる第一部位と少なくとも接触する第一領域Ｓａ１と、第一領域Ｓａ１以外の領域である第二領域Ｓａ２と、を有している。
【００５４】
加熱ヒータ２２ｂは、第一領域Ｓａ１を加熱する第一加熱ヒータ２２ｃおよび第二領域Ｓａ２を加熱する第二加熱ヒータ２２ｄを備えている。温度センサ２３は、第一領域Ｓａ１の温度を検出する第一温度センサ２３ａおよび第二領域Ｓａ２の温度を検出する第二温度センサ２３ｂを備えている。温度制御部６１は、着座検出装置４０の出力が第一オン信号である場合、第一温度センサ２３ａの検出温度および第二温度センサ２３ｂの検出温度に基づいて、第一領域Ｓａ１の温度および第二領域Ｓａ２の温度を快適温度Ｔｈｋに調節するように第一加熱ヒータ２２ｃおよび第二加熱ヒータ２２ｄをそれぞれ制御し、着座検出装置４０の出力が第一オン信号から第一オフ信号に切り替った場合、第一温度センサ２３ａの検出温度に基づいて第一領域Ｓａ１の温度を第一温度Ｔｈ１に調節するように第一加熱ヒータ２２ｃを制御し、かつ、第二温度センサ２３ｂの検出温度に基づいて第二領域Ｓａ２の温度を第二温度Ｔｈ２に調節するように第二加熱ヒータ２２ｄを制御する。
【００５５】
これによれば、使用者が着座面Ｓに着座している状態から使用者が着座面Ｓに着座していない状態になった場合、制御装置６０の温度制御部６１は、温度センサ２３の検出温度に基づいて、第一領域Ｓａ１の温度を快適温度Ｔｈｋより低い温度であって使用者に冷感を与えない第一温度Ｔｈ１に調節し、かつ、第二領域Ｓａ２の温度を第一温度Ｔｈ１より低い第二温度Ｔｈ２に調節するように加熱ヒータ２２ｂを制御する。よって、従来技術のように、使用者が着座面Ｓに着座しているか、着座していないかに関わらず、着座面Ｓの全体を加熱している場合に比べて、加熱ヒータ２２ｂの消費電力を抑制することができる。したがって、暖房便座装置１において、省エネ性を向上することができる。
【００５６】
そして、制御装置６０は、第一加熱ヒータ２２ｃによって第一領域Ｓａ１の温度を調節し、かつ、第二加熱ヒータ２２ｄによって第二領域Ｓａ２の温度を調節するため、各領域Ｓａ１，Ｓａ２の温度を確実に調節することができる。よって、使用者が着座面Ｓに着座している状態から使用者が着座面Ｓに着座していない状態になった場合において、第一加熱ヒータ２２ｃおよび第二加熱ヒータ２２ｄの消費電力を確実に低減することができる。
【００５７】
また、第一加熱ヒータ２２ｃおよび第二加熱ヒータ２２ｄは、コード状の発熱体によって構成されている。第一領域Ｓａ１の単位面積あたりの第一加熱ヒータ２２ｃの長さは、第二領域Ｓａ２の単位面積あたりの第二加熱ヒータ２２ｄの長さより長くなるように設定されている。
【００５８】
これによれば、第一加熱ヒータ２２ｃおよび第二加熱ヒータ２２ｄは、共にコード状の発熱体によって設けられている。さらに、各加熱ヒータ２２ｃ，２２ｄの消費電力が比較的低い消費電力に設定されている。よって、各加熱ヒータ２２ｃ，２２ｄの低コスト化を図ることができる。また、第一領域Ｓａ１の単位面積あたりの第一加熱ヒータ２２ｃの長さが第二領域Ｓａ２の単位面積あたりの第二加熱ヒータ２２ｄの長さより長くなるように設定されているため、第一領域Ｓａ１の単位面積あたりの第一加熱ヒータ２２ｃの長さが第二領域Ｓａ２の単位面積あたりの第二加熱ヒータ２２ｄの長さと同じ長さに設定されている場合に比べて、第一領域Ｓａ１の温度の調節を低い消費電力にて行うことができる。したがって、暖房便座装置１の低コスト化および省エネ性向上の両立を図ることができる。
【００５９】
＜第一実施形態の第一変形例＞
次に、本発明の第一実施形態の第一変形例に係る暖房便座装置について、主として上述した第一実施形態と異なる部分について説明する。上述した第一実施形態においては加熱ヒータ２２ｂおよび温度センサ２３をそれぞれ二つ備えているが、本第一変形例においては、図６に示すように、加熱ヒータ１２２ｂおよび温度センサ１２３がそれぞれ一つにて構成されている。
【００６０】
加熱ヒータ１２２ｂは、図６の着座面Ｓの平面視において、着座面Ｓの右上の位置から時計回りに着座面Ｓを一周するように配置されている。また、加熱ヒータ１２２ｂは、第一領域Ｓａ１より第二領域Ｓａ２の方が小さい曲率にて蛇行するように配置されている。すなわち、加熱ヒータ１２２ｂは、第一領域Ｓａ１の単位面積あたりの長さの方が、第二領域Ｓａ２の単位面積あたりの長さより長くなるように配置されている。これにより、上述した第一実施形態と同様に、第一領域Ｓａ１の単位面積あたりに与えられる熱量の方が、第二領域Ｓａ２の単位面積あたりに与えられる熱量より多くなる。
【００６１】
温度センサ１２３は、第一領域Ｓａ１の温度を検出する。温度センサ１２３は、右方の後第一領域Ｓａ１ｂのおよそ前後方向中央部に配置されている。着座検出装置４０の出力が第一オン信号である場合、温度制御部６１によって、温度センサ１２３の検出温度に基づいて、第一領域Ｓａ１の温度が快適温度Ｔｈｋに調節されるようにオンオフ制御される。一方、着座検出装置４０の出力が第一オフ信号である場合、温度制御部６１によって、温度センサ１２３の検出温度に基づいて、第一領域Ｓａ１の温度が第一温度Ｔｈ１に調節されるようにオンオフ制御される。
【００６２】
第一領域Ｓａ１の温度が快適温度Ｔｈｋにて推移している場合に第二領域Ｓａ２の温度が快適温度Ｔｈｋにて推移するように、かつ、第一領域Ｓａ１の温度が第一温度Ｔｈ１にて推移している場合に第二領域Ｓａ２の温度が第二温度Ｔｈ２にて推移するように、加熱ヒータ１２２ｂの配置が設定されている。
【００６３】
＜第一実施形態の第二変形例＞
次に、本発明の第一実施形態の第二変形例に係る暖房便座装置について、主として上述した第一実施形態と異なる部分について説明する。本第二変形例においては、上述した第一実施形態の各領域Ｓａ１，Ｓａ２および加熱ヒータ２２ｂに代えて、第一領域Ｓａ１１、第二領域Ｓａ１２および加熱ヒータ２２２ｂを備えている。
【００６４】
第一領域Ｓａ１１は、図７に示す着座面Ｓの平面視において、環状に形成されている。第二領域Ｓａ１２は、着座面Ｓの平面視において、着座面Ｓにおける第一領域Ｓａ１１の内側の部位と外側の部位に分かれる。これにより、使用者が着座面Ｓに着座した場合、着座面Ｓに対する使用者が着座する位置および両足の開き具合に関わらず、使用者の第一部位が第一領域Ｓａ１１に接触する。
【００６５】
加熱ヒータ２２２ｂは、第一加熱ヒータ２２２ｃおよび第二加熱ヒータ２２２ｄを備えている。第一加熱ヒータ２２２ｃは、着座面Ｓの平面視において、着座面Ｓの右上側の位置から時計回りに着座面Ｓを一周するように、かつ蛇行するように、第一領域Ｓａ１１のみに配置されている。本第二変形例においては、第一加熱ヒータ２２２ｃは、第一領域Ｓａ１１のみを加熱する。
【００６６】
第二加熱ヒータ２２２ｄは、着座面Ｓの平面視において、着座面Ｓの右上側の位置から第一領域Ｓａ１１の内側の部位を反時計回りに一周した後、第一領域Ｓａ１１の外側の部位を時計回りに一周するように、かつ、第一領域Ｓａ１１の内側および外側において蛇行せずに第二領域Ｓａ１２に配置されている。これにより、第一加熱ヒータ２２２ｃによって第一領域Ｓａ１１の単位面積あたりに与えられる熱量の方が、第二加熱ヒータ２２２ｄによって第二領域Ｓａ１２の単位面積あたりに与えられる熱量より多くなる。
【００６７】
なお、第一温度センサ２２３は、第一温度センサ２２３ａが第一領域Ｓａ１１の右側かつ前後方向中央部に配置され、第二温度センサ２２３ｂが第二領域Ｓａ１２の左後端部に配置されている。
【００６８】
第一実施形態およびその各変形例によれば、温度センサ２３，１２３，２２３は、第一領域Ｓａ１，Ｓａ１１および第二領域Ｓａ２，Ｓａ１２の少なくとも第一領域Ｓａ１，Ｓａ１１の温度を検出する。制御装置６０は、着座検出装置４０の出力が第一オン信号である場合、温度センサ２３，１２３，２２３の検出温度に基づいて、第一領域Ｓａ１，Ｓａ１１の温度および第二領域Ｓａ２，Ｓａ１２の温度を使用者に快適感を与える快適温度Ｔｈｋに調節するように加熱ヒータ２２ｂ，１２２ｂ，２２２ｂを制御し、着座検出装置４０の出力が第一オン信号から第一オフ信号に切り替った場合、温度センサ２３，１２３，２２３の検出温度に基づいて、第一領域Ｓａ１，Ｓａ１１の温度を快適温度Ｔｈｋより低い温度であって使用者に冷感を与えない第一温度Ｔｈ１に調節し、かつ第二領域Ｓａ２，Ｓａ１２の温度を第一温度Ｔｈ１より低い第二温度Ｔｈ２に調節するように加熱ヒータ２２ｂ，１２２ｂ，２２２ｂを制御する温度制御部６１を備えている。
【００６９】
＜第二実施形態＞
次に、本発明の第二実施形態に係る暖房便座装置について、主として上述した第一実施形態と異なる部分について、図８および図９を用いて説明する。本第二実施形態においては、上述した第一実施形態の加熱ヒータ２２ｂおよび温度センサ２３に代えて、一つの加熱ヒータ３２２ｂおよび一つの温度センサ３２３を備えている。
【００７０】
本第二実施形態の加熱ヒータ３２２ｂは、図８の着座面Ｓの平面視において、着座面Ｓの右上側の位置から時計回りに着座面Ｓを一周するように配置されている。また、加熱ヒータ３２２ｂは、第一領域Ｓａ１の単位面積あたりの長さと、第二領域Ｓａ２の単位面積あたりの長さとが等しくなるように蛇行して配置されている。これにより、第一領域Ｓａ１の単位面積あたりに与えられる熱量と、第二領域Ｓａ２の単位面積あたりに与えられる熱量とが等しくなる。
【００７１】
また、本第二実施形態の本体部３２１は、第一領域Ｓａ１の単位面積あたりの熱容量を、第二領域Ｓａ２の単位面積あたりの熱容量より小さくするように設けられている。加熱ヒータ３２２ｂが本体部３２１（上側壁３２１ａ）を加熱することにより着座面Ｓを加熱しているため、各領域Ｓａ１，Ｓａ２の熱容量は、本体部３２１の材料や肉厚によって定まる。
【００７２】
本第二実施形態において、本体部３２１は、第一領域Ｓａ１と加熱ヒータ３２２ｂとの間の距離を、第二領域Ｓａ２と加熱ヒータ３２２ｂとの間の距離より短くなるように設けられている。すなわち、本体部３２１において、図９に示すように、第一領域Ｓａ１を配置された上側壁３２１ａの肉厚が、第二領域Ｓａ２を配置された上側壁３２１ａの肉厚より薄くなるように形成されている。これにより、加熱ヒータ３２２ｂが第一領域Ｓａ１および第二領域Ｓａ２の各々に等しい熱量を与えた場合においても、第二領域Ｓａ２の上昇温度より第一領域Ｓａ１の上昇温度が大きくなる。
【００７３】
温度センサ３２３は、第一領域Ｓａ１の温度を検出する。温度センサ３２３は、右方の後第一領域Ｓａ１ｂのおよそ前後方向中央部に配置されている。着座検出装置４０の出力が第一オン信号である場合、温度制御部６１によって、温度センサ３２３の検出温度に基づいて、第一領域Ｓａ１の温度が快適温度Ｔｈｋに調節されるようにオンオフ制御される。一方、着座検出装置４０の出力が第一オフ信号である場合、温度制御部６１によって、温度センサ３２３の検出温度に基づいて、第一領域Ｓａ１の温度が第一温度Ｔｈ１に調節されるようにオンオフ制御される。
【００７４】
第一領域Ｓａ１の温度が快適温度Ｔｈｋにて推移している場合に第二領域Ｓａ２の温度が快適温度Ｔｈｋにて推移するように、かつ、第一領域Ｓａ１の温度が第一温度Ｔｈ１にて推移している場合に第二領域Ｓａ２の温度が第二温度Ｔｈ２にて推移するように、本体部３２１の肉厚および加熱ヒータ３２２ｂの配置が設定されている。
【００７５】
本第二実施形態によれば、本体部３２１は、第一領域Ｓａ１の単位面積あたりの熱容量を、第二領域Ｓａ２の単位面積あたりの熱容量より小さくするように設けられている。
これによれば、第一領域Ｓａ１の単位面積あたりの熱容量が第二領域Ｓａ２の単位面積あたりの熱容量より小さいため、第一領域Ｓａ１の単位面積あたりの熱容量が第二領域Ｓａ２の単位面積あたりの熱容量と同じである場合に比べて、第一領域Ｓａ１の温度の調節を低い消費電力にて行うことができる。
【００７６】
また、本体部３２１は、熱可塑性樹脂材料製であるとともに、第一領域Ｓａ１と加熱ヒータ３２２ｂとの間の距離を、第二領域Ｓａ２と加熱ヒータ３２２ｂとの間の距離より短くなるように設けられている。
これによれば、第一領域Ｓａ１の単位面積あたりの熱容量を第二領域Ｓａ２の単位面積あたりの熱容量より小さくする本体部３２１の形状を、比較的簡便に形成することができる。
【００７７】
＜第二実施形態の第一変形例＞
次に上述した第二実施形態の第一変形例について説明する。上述した第二実施形態においては、本体部３２１の全部が熱可塑性樹脂製であるとともに、本体部３２１は、第一領域Ｓａ１と加熱ヒータ３２２ｂとの間の距離を、第二領域Ｓａ２と加熱ヒータ３２２ｂとの間の距離より短くなるように設けられている。
【００７８】
これに対して、本第一変形例においては、第一領域Ｓａ１の単位面積あたりの熱容量が第二領域Ｓａ２の単位面積あたりの熱容量より小さくなるように、本体部４２１において、第一領域Ｓａ１と加熱ヒータ３２２ｂとの間の材料と、第二領域Ｓａ２と加熱ヒータ３２２ｂとの間の材料とが異なるように設けられている。具体的には、本体部４２１において、図１０に示すように、第一領域Ｓａ１を配置された小熱容量部位４２１ａの材料はアルミニウムであり、小熱容量部位４２１ａ以外の部位（第二領域Ｓａ２を配置された部位）の材料は、アルミニウムより単位体積あたりの熱容量が大きい熱可塑性樹脂である。
【００７９】
＜第二実施形態の第二変形例＞
次に、上述した第二実施形態の第二変形例について説明する。本第二変形例においては、図１１に示すように、上述した第二実施形態に対して、各領域Ｓａ１，Ｓａ２の範囲が異なっている。本第二変形例における各領域Ｓａ２１，Ｓａ２２の範囲は、上述した第一実施形態の第二変形例の各領域Ｓａ１１，Ｓａ１２の範囲と同様に設定されている。
【００８０】
また、各領域Ｓａ２１，Ｓａ２２の範囲は、第一領域Ｓａ２１の単位面積あたりの加熱ヒータ３２２ｂの長さと、第二領域Ｓａ２２の単位面積あたりの加熱ヒータ３２２ｂの長さとが等しくなるように設定されている。これにより、第一領域Ｓａ２１の単位面積あたりに与えられる熱量と、第二領域Ｓａ２２の単位面積あたりに与えられる熱量とが等しくなる。
【００８１】
また、本体部５２１は、第一領域Ｓａ２１の単位面積あたりの熱容量を、第二領域Ｓａ２２の単位面積あたりの熱容量より小さくするように設けられている。本体部５２１は、本第二変形例においては、熱可塑性樹脂材料製であるとともに、第一領域Ｓａ２１と加熱ヒータ３２２ｂとの間の距離を、第二領域Ｓａ２２と加熱ヒータ３２２ｂとの間の距離より短くなるように設けられている。
【００８２】
＜他の変形例＞
なお、上述した実施形態において、暖房便座装置の一例を示したが、本発明はこれに限定されず、他の構成を採用することもできる。例えば、上述した各実施形態および各変形例において、暖房便座装置１は、取付部１０の内部に、人体の局部の洗浄を行う洗浄装置を備えるようにしても良い。この場合、暖房便座装置１は、人体の局部を洗浄する温水洗浄便座装置として機能する。
また、上述した各実施形態および各変形例において、暖房便座装置１は、着座検出装置４０および人体検出装置５０の両方を備えているが、これに代えて、着座検出装置４０および人体検出装置５０のうち着座検出装置４０のみを備えるようにしても良い。
【００８３】
また、上述した各実施形態および各変形例において、暖房便座装置１は、着座検出装置４０および人体検出装置５０の両方を備えているが、これに代えて、着座検出装置４０および人体検出装置５０のうち人体検出装置５０のみを備えるようにしても良い。この場合、温度制御部６１は、着座検出装置４０の出力に代えて、人体検出装置５０の出力に基づいて、各領域Ｓａ１，Ｓａ１１，Ｓａ２１，Ｓａ２，Ｓａ１２，Ｓａ２２の目標温度を設定する。
【００８４】
すなわち、この場合、制御装置６０の温度制御部６１は、人体検出装置５０の出力が第二オン信号である場合、温度センサ２３，１２３，２２３，３２３の検出温度に基づいて、第一領域Ｓａ１，Ｓａ１１，Ｓａ２１の温度および第二領域Ｓａ２，Ｓａ１２，Ｓａ２２の温度を使用者に快適感を与える快適温度Ｔｈｋに調節するように加熱ヒータ２２ｂ，１２２ｂ，２２２ｂ，３２２ｂを制御し、人体検出装置５０の出力が第二オン信号から第二オフ信号に切り替った場合、温度センサ２３，１２３，２２３，３２３の検出温度に基づいて、第一領域Ｓａ１，Ｓａ１１，Ｓａ２１の温度を快適温度Ｔｈｋより低い温度であって使用者に冷感を与えない第一温度Ｔｈ１に調節し、かつ第二領域Ｓａ２，Ｓａ１２，Ｓａ２２の温度を第一温度Ｔｈ１より低い第二温度Ｔｈ２に調節するように加熱ヒータ２２ｂ，１２２ｂ，２２２ｂ，３２２ｂを制御する。
【００８５】
また、上述した各実施形態および各変形例において、加熱ヒータ２２ｂ，１２２ｂ，２２２ｂ，３２２ｂは、消費電力を比較的低くするように設けられているが、これに代えて、加熱ヒータ２２ｂ，１２２ｂ，２２２ｂ，３２２ｂの消費電力を比較的高く設けるようにしても良い。また、上述した第一実施形態およびその第二変形例において、第一加熱ヒータ２２ｃ，２２２ｃの消費電力と第二加熱ヒータ２２ｄ，２２２ｄとの消費電力とを異なるように設定しても良い。
【００８６】
また、上述した第一実施形態において、第一加熱ヒータ２２ｃは、第二領域Ｓａ２より第一領域Ｓａ１を主として加熱しているが、これに代えて、第一加熱ヒータ２２ｃを第一領域Ｓａ１のみを加熱するように複数配置しても良い。また、第二加熱ヒータ２２ｄは、第一領域Ｓａ１より第二領域Ｓａ２を主として加熱しているが、これに代えて、第二加熱ヒータ２２ｄを第二領域Ｓａ２のみを加熱するように複数配置しても良い。
【００８７】
また、上述した各実施形態および各変形例において、使用者が着座面Ｓに着座することにより着座検出装置４０の出力が第一オフ信号から第一オン信号に切り替わった場合、温度制御部６１が第二領域Ｓａ２，Ｓａ１２，Ｓａ２２の目標温度を快適温度Ｔｈｋに変更しているが、これに代えて、第二領域Ｓａ２，Ｓａ１２，Ｓａ２２の目標温度を第一温度Ｔｈ１に変更するようにしても良い。
【００８８】
また、上述した各実施形態および各変形例において、使用者がトイレルーム２に入室した後に着座検出装置４０の出力が第一オフ信号から第一オン信号に切り替わった時に、温度制御部６１が各領域Ｓａ１，Ｓａ１１，Ｓａ２１，Ｓａ２，Ｓａ１２，Ｓａ２２の目標温度を変更している。これに対して、使用者がトイレルーム２に入室した後に人体検出装置５０の出力が第二オフ信号から第二オン信号に切り替わった時に、温度制御部６１が第一領域Ｓａ１，Ｓａ１１，Ｓａ２１の目標温度および第二領域Ｓａ２，Ｓａ１２，Ｓａ２２の目標温度の一方または両方を変更するようにしても良い。例えば、図１２に示すように、人体検出装置５０の出力が第二オフ信号から第二オン信号に切り替わった時（時刻ｔ１１）に第二領域Ｓａ２の目標温度を快適温度Ｔｈｋに変更するようにしても良い。この場合、第二領域Ｓａ２の温度を早期に快適温度Ｔｈｋとすることができる。
【００８９】
すなわち、この場合、制御装置６０の温度制御部６１は、着座検出装置４０の出力が第一オン信号である場合または人体検出装置５０の出力が第二オン信号である場合、温度センサ２３，１２３，２２３，３２３の検出温度に基づいて、第一領域Ｓａ１，Ｓａ１１，Ｓａ２１の温度および第二領域Ｓａ２，Ｓａ１２，Ｓａ２２の温度を使用者に快適感を与える快適温度Ｔｈｋに調節するように加熱ヒータ２２ｂ，１２２ｂ，２２２ｂ，３２２ｂを制御し、着座検出装置４０の出力が第一オン信号から第一オフ信号に切り替った場合または人体検出装置５０の出力が第二オン信号から第二オフ信号に切り替った場合、温度センサ２３，１２３，２２３，３２３の検出温度に基づいて、第一領域Ｓａ１，Ｓａ１１，Ｓａ２１の温度を快適温度Ｔｈｋより低い温度であって使用者に冷感を与えない第一温度Ｔｈ１に調節し、かつ第二領域Ｓａ２，Ｓａ１２，Ｓａ２２の温度を第一温度Ｔｈ１より低い第二温度Ｔｈ２に調節するように加熱ヒータ２２ｂ，１２２ｂ，２２２ｂ，３２２ｂを制御する。
【００９０】
また、この場合、第一実施形態およびその第二変形例においては、温度制御部６１は、着座検出装置４０の出力が第一オン信号である場合、または人体検出装置５０の出力が第二オン信号である場合、第一温度センサ２３ａ，２２３ａの検出温度および第二温度センサ２３ｂ，２２３ｂの検出温度に基づいて、第一領域Ｓａ１，Ｓａ１１の温度および第二領域Ｓａ２，Ｓａ１２の温度を快適温度Ｔｈｋに調節するように第一加熱ヒータ２２ｃ，２２２ｃおよび第二加熱ヒータ２２ｄ，２２２ｄをそれぞれ制御し、着座検出装置４０の出力が第一オン信号から第一オフ信号に切り替った場合または人体検出装置５０の出力が第二オン信号から第二オフ信号に切り替った場合、第一温度センサ２３ａ，２２３ａの検出温度に基づいて第一領域Ｓａ１，Ｓａ１１の温度を第一温度Ｔｈ１に調節するように第一加熱ヒータ２２ｃ，２２２ｃを制御し、かつ、第二温度センサ２３ｂ，２２３ｄの検出温度に基づいて第二領域Ｓａ２，Ｓａ１２の温度を第二温度Ｔｈ２に調節するように第二加熱ヒータ２２ｄ，２２２ｄを制御する。
【００９１】
上述した各実施形態および各変形例において、使用者が着座面Ｓから離れたことにより着座検出装置４０の出力が第一オン信号から第一オフ信号に切り替わった時に、温度制御部６１が各領域Ｓａ１，Ｓａ１１，Ｓａ２１，Ｓａ２，Ｓａ１２，Ｓａ２２の目標温度を変更している。これに対して、使用者が着座面Ｓから離れた後に着座検出装置４０の出力が第一オン信号から第一オフ信号に、または人体検出装置５０の出力が第二オン信号から第二オフ信号に切り替わった時に、温度制御部６１が第一領域Ｓａ１，Ｓａ１１，Ｓａ２１の目標温度および第二領域Ｓａ２，Ｓａ１２，Ｓａ２２の目標温度の一方または両方を変更するようにしても良い。さらに、着座検出装置４０の出力が第一オン信号から第一オフ信号に、または人体検出装置５０の出力が第二オン信号から第二オフ信号に切り替わった時から所定時間（例えば１分間）経過した時に、温度制御部６１が第一領域Ｓａ１，Ｓａ１１，Ｓａ２１の目標温度および第二領域Ｓａ２，Ｓａ１２，Ｓａ２２の目標温度の一方または両方を変更するようにしても良い。
【００９２】
また、第一実施形態およびその各変形例において、本体部２１が肉厚をおよそ一定に設けられているため、第一領域Ｓａ１，Ｓａ１１の単位面積あたりの熱容量と、第二領域Ｓａ２，Ｓａ１２の単位面積あたりの熱容量とがおよそ同じである。これに対して、上述した第二実施形態およびその各変形例のように、本体部２１において、第一領域Ｓａ１，Ｓａ１１の単位面積あたりの熱容量を、第二領域Ｓａ２，Ｓａ１２の単位面積あたりの熱容量より小さくするようにしても良い。
【００９３】
また、上述した各実施形態および各変形例において、人体検出装置５０は、赤外線方式の距離センサであるが、これに代えて、使用者の人体の発する赤外線を検出する焦電センサ、または、マイクロ波を用いたドップラーセンサを用いるようにしても良い。
【００９４】
また、本発明の要旨を逸脱しない範囲において、本体部２１，３２１，４２１，５２１の材料および形状、各領域Ｓａ１，Ｓａ１１，Ｓａ２１，Ｓａ２，Ｓａ１２，Ｓａ２２の個数および範囲、加熱ヒータ２２ｂ，１２２ｂ，２２２ｂ，３２２ｂの配置、並びに、快適温度Ｔｈｋ、第一温度Ｔｈ１および第二温度Ｔｈ２の温度範囲を変更するようにしても良い。
【符号の説明】
【００９５】
１…暖房便座装置、２０…便座部、２１…本体部、２１ａ…上側壁、２２ｂ…加熱ヒータ、２２ｃ…第一加熱ヒータ、２２ｄ…第二加熱ヒータ、２３…温度センサ、２３ａ…第一温度センサ、２３ｂ…第二温度センサ、４０…着座検出装置、５０…人体検出装置、６０…制御装置、６１…温度制御部、Ｓ…着座面、Ｓａ１…第一領域、Ｓａ２…第二領域、Ｔｈ１…第一温度、Ｔｈ２…第二温度、Ｔｈｋ…快適温度。
【図１】
2018000596.tif 000003
【図２】
2018000596.tif 000004
【図３】
2018000596.tif 000005
【図４】
2018000596.tif 000006
【図５】
2018000596.tif 000007
【図６】
2018000596.tif 000008
【図７】
2018000596.tif 000009
【図８】
2018000596.tif 000010
【図９】
2018000596.tif 000011
【図１０】
2018000596.tif 000012
【図１１】
2018000596.tif 000013
【図１２】
2018000596.tif 000014